(57)【要約】【課題】カメラの本体に容易に組み込むことが可能なファインダユニットを提供する。【解決手段】カム板４３には、カム溝４３ｄ，４３ｅが形成されており、撮影レンズを保持するレンズ鏡筒の繰出動作及び繰込動作に連動して回転駆動する。また、移動レンズ４１，４２は、カム溝４３ｄ，４３ｅと係合するカムピン４１ｅ，４２ｅが形成され、その先端に係止突起４１ｆ，４２ｆが形成されている。この移動レンズ４１，４２は、バネ４６により付勢されており、カム溝４３ｄ，４３ｅの壁面にカムピン４１ｅ，４２ｅが常に当接する。さらに係止突起４１ｆ，４２ｆにより、カム溝４３ｄ，４３ｅの内壁が係止されているので、ファインダユニットからカム板４３が脱落することが防止される。【選択図】        図４
2004246225.tif 000002
【特許請求の範囲】
【請求項１】
カム溝が形成され、撮影レンズを保持するレンズ鏡筒の繰出動作及び繰込動作に連動して駆動するカム板と、前記カム溝と係合するカムピンを有する移動レンズとを備え、前記カム板の駆動により前記移動レンズが移動してファインダ光学系の倍率が変化するファインダユニットにおいて、
前記カムピンの先端に、前記カム板を係止する係止突起を設け、ファインダユニットから前記カム板が脱落するのを防止したことを特徴とするファインダユニット。
【発明の詳細な説明】
【０００１】
【発明の属する技術分野】
本発明は、レンズ鏡筒の繰出・繰込動作に連動してファインダ光学系の倍率を変化させるファインダユニットに関するものである。
【０００２】
【従来の技術】
近年、携帯性に優れた小型カメラが普及している。このような普及型の小型カメラでは、撮影レンズを保持するレンズ鏡筒をカメラ本体内に収納可能にすることでカメラ本体の小型化を実現している。このようなカメラでは、レンズ鏡筒の繰出動作、及び繰込動作による撮影画角の拡大・縮小に伴って、ファインダの視野範囲を適宜調整する必要がある。
【０００３】
ファインダの視野範囲の調整を行うカメラには、レンズ鏡筒の上部にファインダの視野範囲を調節するファインダユニットが設けられている。このようなファインダユニットでは、その本体枠に、対物レンズ、移動レンズ、及び接眼レンズからなるファインダ光学系が組み込まれている。また、このファインダ光学系の下部に、移動レンズに形成されたカムピンと係合するカム溝が形成され、レンズ鏡筒の繰出・繰込動作に連動して駆動するカム板が設けられている。これにより、レンズ鏡筒の繰出・繰込動作に連動してカム板が駆動すると、移動レンズが光軸方向に移動して、ファインダ光学系の倍率が変化する。このように、ファインダユニットの下部に、レンズ鏡筒の繰出・繰込動作に連動して駆動するカム板を設け、移動レンズを光軸方向に移動させることによりファインダ光学系の倍率を変化させる技術が知られている（例えば、特許文献１参照）。
【０００４】
【特許文献１】
特開平７−２９４９７３号公報
【０００５】
【発明が解決しようとする課題】
しかしながら、上述のようなファインダユニットの構成では、ファインダユニットをカメラ本体の所定位置に組み込む時に、組立が困難であり、カム板がファインダユニットから脱落してしまい、余分な工数がかかってしまうという問題がある。また、カム板の脱落を防止するために、ネジを使用するとネジの嵌合長を必要とするため、カメラが大型化してファインダレンズと撮影レンズとの距離が大きくなり、視差（パララックス）が大きくなるという問題があった。
【０００６】
本発明は、上記問題点を解決するためのものであり、カメラ本体に容易に組み込むことが可能なファインダユニットを提供することを目的とする。
【０００７】
【課題を解決するための手段】
上記問題点を解決するために、本発明のファインダユニットは、カム溝が形成され、撮影レンズを保持するレンズ鏡筒の繰出動作及び繰込動作に連動して駆動するカム板と、カム溝と係合するカムピンを有する移動レンズとを備え、このカム板の駆動により移動レンズが移動してファインダ光学系の倍率が変化するファインダユニットであり、カムピンの先端に、カム板を係止する係止突起を設け、ファインダユニットからカム板が脱落するのを防止したことを特徴とするものである。
【０００８】
【発明の実施の形態】
図１は、本発明のファインダユニットを実施したカメラ１０の外観斜視図であり、図２は、カメラ１０の内部構成の概要を示す分解斜視図である。カメラ１０は、各種撮影機構が組み込まれるカメラ本体１１と、このカメラ本体１１の前面及び背面を覆う前カバー１２及び後カバー１３とから構成される。
【０００９】
カメラ１０の前面中央には、撮影レンズ１４を保持するレンズ鏡筒１５が配置されている。レンズ鏡筒１５内には、ズーム光学系を構成する撮影レンズ１４と、電子シャッタとが組み込まれている。このレンズ鏡筒１５は、背面に設けられた電源スイッチ（図示せず）がオンされると、カメラ１０の前面に突出され、電源スイッチがオフされるとカメラ１０内に沈胴される。また、ズームボタン１６の操作に応じて突出量が変化して、焦点距離が変化する。
【００１０】
カメラ１０の上面には、ズームボタン１６、シャッタボタン１７、各種情報が表示される液晶パネル１８，各種設定を行う設定スイッチ１９等が設けられ、また背面には、接眼側ファインダ窓、電源スイッチ等が設けられている。
【００１１】
前カバー１２の上方には、その曲面形状に倣うように湾曲したカバープレート２０、２１、２２が組み付けられている。カバープレート２０、２１、２２は、後述するファインダユニット２３に組み込まれている各種レンズ、及び素子等の前面を覆い、これらを汚れや衝撃から保護している。前カバー１２の右上方部には、ストロボ発光窓２４が設けられており、下面には、フイルムカートリッジを装填する際に開放される底蓋２５が開閉自在に取り付けられている。
【００１２】
カメラ本体１１は、レンズ鏡筒１５や、ファインダユニット２３、フイルム巻き上げ機構、及びストロボ機構などの各種撮影機構が組み込まれており、これらが本体基部２５に組み付けられてカメラ本体１１となる。
【００１３】
ファインダユニット２３は、レンズ鏡筒１５が本体基部２５に取り付けられた後にレンズ鏡筒１５の上部に配置されるように取り付けられる。
【００１４】
レンズ鏡筒１５は、固定筒２６の内部に収容されており、固定筒２６に対してレンズ鏡筒１５が繰出動作及び繰込（沈胴）動作を行うズームレンズ機構が組み込まれている。このレンズ鏡筒１５の繰出・繰込動作は、ズームレンズ機構の駆動源となるモータと、そのモータの駆動をレンズ鏡筒１５に伝達するために組み込まれた歯車列により行われる。
【００１５】
この固定筒２６の上面には、ガイド溝２６ａが形成されており、レンズ鏡筒１５に設けられた連動ピン１５ａがガイド溝２６ａから露呈している。連動ピン１５ａは、レンズ鏡筒１５の繰り出し及び沈胴に応じて、ガイド溝２６ａに沿って直進移動する。この連動ピン１５ａは、後述するズームファインダ機構に結合する。
【００１６】
ファインダユニット２３はＡＢＳ樹脂等により成形されたユニット支持部材３０に、ズームファインダ機構が組み込まれたファインダケース３１、測光用受光素子３２、赤目防止用ランプ３３、測距用の投・受光レンズ３４，３５等が組み込まれてユニットの状態となっている。また、ユニット支持部材３０には、多数のネジ穴３６が形成されており、本体基部２５の上面に形成されたボス２７に、ネジ３７でネジ止めされて、ファインダユニット２３が本体基部２５に組み付けられる。
【００１７】
測光用受光素子３２は、被写体輝度を測光し、赤目防止用ランプ３３は被写体（人物）の赤目現象を防止するために赤色光を照射して瞳孔径を小さくする。測光用受光素子３２としては、例えばＣｄＳセルを使用する。ＣｄＳセルは、周知のように、受光する輝度に応じて抵抗値が変化する光導電素子である。
【００１８】
ズームファインダ機構は、図３に示すように、ファインダケース３１、接眼レンズ４０、移動レンズ４１，４２，カム板４３で構成されている。ファインダケース３１の光軸方向の後方側には、接眼レンズ４０が嵌め込まれており、前方側には、移動レンズ４１，４２を収納するレンズ収納部４４が設けられている。このレンズ収納部４４の前面には、ファインダ対物窓４４ａが設けられており、上面にはガイド溝４４ｂが形成されている。このガイド溝４４ｂは、後述する移動レンズ４１，４２のガイド突起と係合して、移動レンズ４１，４２の光軸方向の移動をガイドする。また、このレンズ収納部４４には、ガイド軸４５が嵌め込まれる２つの嵌合穴４４ｃが設けられている。
【００１９】
移動レンズ４１，４２は、レンズ本体４１ａ，４２ａと、レンズ本体の上部に形成されたガイド突起４１ｂ，４２ｂと、レンズ本体４１ａ，４２ａから下方に延びた連結部４１ｃ，４２ｃと、この連結部の先端に形成されたガイド筒４１ｄ，４２ｄと、このガイド筒４１ｄ，４２ｄから下方に延びたカムピン４１ｅ，４２ｅとが一体に形成されている。ガイド筒４１ｄ，４２ｄには、ガイド軸４５が挿通され、このガイド軸４５と前述のガイド溝４４ｂによって、移動レンズ４１，４２の光軸方向の移動がガイドされる。
【００２０】
また、カムピン４１ｅ，４２ｅの下部には、２つの移動レンズ４１，４２の相対面する方向に突出するように係止突起４１ｆ，４２ｆが一体に形成されており、後述するカム板４３を係止する。さらに、ガイド筒４１ｄ，４２ｄには、バネ４６が引っ掛けられるピン４１ｇ，４２ｇが一体に形成されており、バネ４６の一端が４１ｇに掛けられ、他端が４２ｇに掛けられることにより、後述するカム板４３のカム溝の壁面とカムピン４１ｅ，４２ｅとが常に当接するように付勢される。
【００２１】
カム板４３には、前述した連動ピン１５ａと係合する開口４３ａ、固定筒２６の上面に設けられた回動軸２６ｂと係合する回動穴４３ｂが設けられ、下面には点線で示す円弧形状の溝４３ｃが形成されている。この溝４３ｃは、固定筒２６の上面に円弧状に形成されたガイドレール２６ｃと係合する。これにより、レンズ鏡筒１５の変倍動作により連動ピン１５ａが光軸方向に移動した時に、連動ピン１５ａがカム板４３の開口４３ａの内壁面を押圧することによりカム板４３が回動軸４３ｂを中心にして、ガイドレール２６ｃにガイドされながら回動する。
【００２２】
このカム板４３には、移動レンズ４１，４２のカムピン４１ｅ，４２ｅが係合するカム溝４３ｄ，４３ｅが設けられており、移動レンズ４１のカムピン４１ｅがカム溝４３ｄと係合し、移動レンズ４２のカムピン４２ｅがカム溝４３ｅと係合する。また、移動レンズ４１，４２は、バネ４６により付勢されているので、カムピン４１ｅ，４２ｅは、カム溝４３ｄ，４３ｅに常に当接するようにされており、カム板４３が回動軸２６ｂを中心にして回動する際に、移動レンズ４１，４２のカムピン４１ｅ，４２ｅがカム溝４３ｄ，４３ｅの内壁面を挟み込むように摺接しながら移動して、２つの移動レンズ４１，４２の間隔が変化をする。これにより、レンズ鏡筒１５の変倍動作（繰出・繰込動作）に連動して、ファインダ光学系の倍率が変化する。
【００２３】
次に、上記構成の作用について説明する。図４は、ズームレンズ機構の側面断面図である。移動レンズ４１，４２は、ガイド筒４１ｄ，４２ｄにガイド軸４５が挿通されており、光軸方向の移動がガイドされている。また、この移動レンズ４１，４２は、ピン４１ｇ，４２ｇにバネ４６が引っ掛けられて付勢されているので、カムピン４１ｅ，４２ｅが、カム板４３のカム溝４３ｄ，４３ｅの内壁面に常に当接する。さらに、カムピン４１ｅ，４２ｅの先端に形成された係止突起４１ｆ，４２ｆが、カム溝４３ｄ，４３ｅの内壁面に当接しているので、この係止突起４１ｆ，４２ｆによりカム板４３が係止される。これにより、カム板４３の脱落が防止されている。
【００２４】
このように、カム板４３は脱落防止されているので、ファインダユニット２３を本体基部２５に組み付ける前にカム板４３を取り付け、図２に示すように、本体基部２５の上方側からレンズ鏡筒１５の上部に配置されるように、ファインダユニット２３を組み付けることが可能である。このため、ファインダユニット２３を本体基部２５に組み付ける作業が容易になり、カメラの組立性が向上する。
【００２５】
また、カム板４３をファインダユニット２３の部組時に組み込むことが可能なため、本体基部２５にファインダユニット２３を組み付ける前に、ファインダの性能を検証することが可能であり、さらに防塵を行うことも可能である。
【００２６】
なお、本実施形態においては、移動レンズを付勢するためにバネを用いたが、バネを使用しなくても本発明は実現可能である。
【００２７】
【発明の効果】
以上説明したように、本発明のファインダユニットは、移動レンズのカムピンにカム板を係止する係止突起を設けたので、ファインダユニットを本体基部に組み付ける際に、ファインダユニットからカム板が脱落することがないので、組み付けが容易であり、カメラの組立性が向上するので、製造コストを低減することが可能である。また、ファインダユニットの部組時にカム板を取り付けることが可能であり、ファインダユニットを本体基部に組み付ける前に、ファインダの性能検証や防塵を行うことができるので、ファインダの精度を向上させることができる。
【００２８】
さらに、カム板の脱落を防止するためにネジを使用した場合に比べて、ファインダユニットを小型化できるので、パララックスを小さくできる。
【図面の簡単な説明】
【図１】本発明のファインダユニットを実施したカメラの外観斜視図である。
【図２】カメラ本体の構成の概要を示す分解斜視図である。
【図３】ズームファインダ機構の分解斜視図である。
【図４】ズームファインダ機構の側面断面図である。
【符号の説明】
１０  カメラ
１１  カメラ本体
１５  レンズ鏡筒
２３  ファインダユニット
２５  本体基部
２６  固定筒
３１  ファインダケース
４０  接眼レンズ
４１，４２  移動レンズ
４１ｅ，４２ｅ  カムピン
４１ｆ，４２ｆ  係止突起
４３  カム板
４３ｄ，４３ｅ  カム溝
【図１】
2004246225.tif 000003
【図２】
2004246225.tif 000004
【図３】
2004246225.tif 000005
【図４】
2004246225.tif 000006